(57)【特許請求の範囲】
【請求項１】
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｓ１インタフェースを用いたハンドオーバであり、
前記Ｕプレーン処理部は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入する、基地局ゲートウェイ装置。
【請求項２】
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｘ２インタフェースを用いたハンドオーバであり、
前記Ｕプレーン処理部は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入する、基地局ゲートウェイ装置。
【請求項３】
前記移動局が前記基地局ゲートウェイ装置に初めて接続した時に前記移動管理装置から取得したセキュリティキー及びＮＣＣを記憶する記憶部をさらに有し、
前記Ｃプレーン処理部は、
前記ターゲット基地局に送信するＳ１ＡＰのシグナリングに、前記記憶部に記憶された前記セキュリティキー及び前記ＮＣＣを設定する、請求項１または２に記載の基地局ゲートウェイ装置。
【請求項４】
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｓ１インタフェースを用いたハンドオーバであり、
前記Ｕプレーン処理部は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、基地局ゲートウェイ装置。
【請求項５】
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｘ２インタフェースを用いたハンドオーバであり、
前記Ｕプレーン処理部は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、基地局ゲートウェイ装置。
【請求項６】
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｓ１インタフェースを用いたハンドオーバであり、
前記基地局ゲートウェイ装置は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入する、無線通信システム。
【請求項７】
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｘ２インタフェースを用いたハンドオーバであり、
前記基地局ゲートウェイ装置は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入する、無線通信システム。
【請求項８】
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｓ１インタフェースを用いたハンドオーバであり、
前記基地局ゲートウェイ装置は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、無線通信システム。
【請求項９】
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｘ２インタフェースを用いたハンドオーバであり、
前記基地局ゲートウェイ装置は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、無線通信システム。
【請求項１０】
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端するステップと、
所定のタイミングで、前記サービングゲートウェイ装置から受信し前記ソース基地局に転送するＵプレーンデータに、該Ｕプレーンデータが最後であることを示すエンドマーカーを挿入するステップと、
前記エンドマーカーを挿入した直後のタイミングで、前記サービングゲートウェイ装置から受信したＵプレーンデータの転送先を、前記ソース基地局から前記ターゲット基地局に切り替えるステップと、を有し、
前記ハンドオーバは、
Ｓ１インタフェースを用いたハンドオーバであり、
前記基地局ゲートウェイ装置は、前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入する、通信方法。
【請求項１１】
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端するステップと、
所定のタイミングで、前記サービングゲートウェイ装置から受信し前記ソース基地局に転送するＵプレーンデータに、該Ｕプレーンデータが最後であることを示すエンドマーカーを挿入するステップと、
前記エンドマーカーを挿入した直後のタイミングで、前記サービングゲートウェイ装置から受信したＵプレーンデータの転送先を、前記ソース基地局から前記ターゲット基地局に切り替えるステップと、を有し、
前記ハンドオーバは、
Ｘ２インタフェースを用いたハンドオーバであり、
前記基地局ゲートウェイ装置は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入する、通信方法。
【請求項１２】
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｓ１インタフェースを用いたハンドオーバであり、
前記基地局ゲートウェイ装置は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、通信方法。
【請求項１３】
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替え、
前記ハンドオーバは、
Ｘ２インタフェースを用いたハンドオーバであり、
前記基地局ゲートウェイ装置は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、通信方法。
【発明の詳細な説明】
【技術分野】
【０００１】
本発明は、基地局ゲートウェイ装置、無線通信システム、通信方法に関する。
【背景技術】
【０００２】
LTE（Long  Term  Evolution）システムにおいて、UE（User  Equipment）は、同一HeNBGW（Home-eNB  GateWay）配下のSource  HeNBからTarget  HeNBへ移動するIntra  HeNBGW  Inter  HeNB  Handover（HeNBGW内HeNB間ハンドオーバ）を行うことがある。【０００３】
以下、非特許文献１（TS36.300  version  10.5.0）のSection  10.1.2.1.1、Section  10.1.2.2及び非特許文献２（TS23.401  version  10.5.0）のSection  5.5（以下、これらを3GPPの記述と呼ぶ）に基づき、Intra  HeNBGW  Inter  HeNB  Handoverとして、S1  Based  Handoverを実施する場合の動作（動作例１）とX2  Based  Handoverを実施する場合の動作（動作例２）について説明する。【０００４】
（Ａ）動作例１
まず、LTEシステムにおいて、HeNB  -  HeNBGW  -  MME（Mobility  Management  Entity）/S-GW（Serving  Gateway）間のS1  Interfaceを用いる、Intra  HeNBGW  Inter  HeNB  S1  Based  Handoverを実施する場合の動作について、3GPPの記述に従って、図１を参照して説明する。【０００５】
(S0001)  まず、Downlink  User  Plane  Dataは、S-GWから、HeNBGW  U（User）-Planeを経由し、Source  HeNBに送信され、さらにUEに送信される。【０００６】
(S0002)  Source  HeNBは、Target  HeNBへのUEの移動においてS1  based  Handoverの実施を決定する。【０００７】
(S0003)  Source  HeNBは、Target  HeNBへのUEの移動を要求するために、S1AP:  Handover  RequiredメッセージをHeNBGW  C（Control）-Planeに対して送信する。HeNBGW  C-Planeは、このS1AP:  Handover  RequiredメッセージをMMEへ転送する。【０００８】
(S0004)  MMEは、S0003で受信したS1AP:  Handover  Requiredメッセージに基づき、Target  HeNBが同一HeNBGW配下のHeNBであることを知り、Target  HeNBを制御するHeNBGWへ折り返してS1AP:  Handover  Requestメッセージを送信する。ここで、MMEには、Handover元とHandover先が同じであるHandoverを実施することをあらかじめ予測した上で動作することが求められる。HeNBGWは、このS1AP:  Handover  RequestメッセージをTarget  HeNBへ転送する。また、S1AP:  Handover  RequestメッセージにおいてUEを識別するMME  UE  S1AP  IDは、S0003で受信したS1AP:  Handover  RequiredメッセージにおけるUEの識別子であるMME  UE  S1AP  IDとeNB  UE  S1AP  IDとの組み合わせの一部である。このことから、一般には、HeNBGWは、両者のメッセージが対象とするUEが同一であると特定することはできない。そのため、HeNBGWは、別々のUEであると認識し、S1AP:  Handover  Requiredメッセージが対象とするUEのSource  HeNBのためのNetwork  Resourceと、S1AP:  Handover  Requestメッセージが対象とするUEのTarget  HeNBのためのNetwork  Resourceと、をそれぞれ別に確保することとなる。【０００９】
(S0005)  Target  HeNBは、S0004で受信したS1AP:  Handover  Requestメッセージに対する応答として、S1AP:  Handover  Request  AcknowledgeメッセージをHeNBGW  C-Plane経由でMMEに返送する。【００１０】
(S0006)  MMEは、S0005でHandover  Request  Acknowledgeメッセージを受信すると、S1AP:  Handover  CommandメッセージをHeNBGW経由でSource  HeNBに送信する。【００１１】
(S0007)  Source  HeNBは、S0006でS1AP:  Handover  Commandメッセージを受信すると、RRC（Radio  Resource  Control）  Connection  ReconfigurationメッセージをUEに送信する。【００１２】
(S0008)  Source  HeNBは、Target  HeNBへTransparent  Containerを転送するために、HeNBGW  C-Plane経由でMMEにS1AP:  eNB  Status  Transferメッセージを送信する。【００１３】
(S0009)  MMEは、S0008で受信したS1AP:  eNB  Status  TransferメッセージをS1AP:  MME  Status  Transferメッセージに乗せ換えて、HeNBGW  C-Plane経由でTarget  HeNBに送信する。【００１４】
(S0010)  Source  HeNBは、S-GWからHeNBGW  U-Planeを介して受信していたDownlink  User  Plane  Dataを、UEに送信せず、Target  HeNBにForwardingするData  Forwardingを開始する。【００１５】
(S0011)  UEは、HeNB間移動に成功すると、RRC  Connection  Reconfiguration  CompleteメッセージをTarget  HeNBへ送信する。【００１６】
(S0012)Target  HeNBは、S0011でRRC  Connection  Reconfiguration  Completeメッセージを受信すると、Handover完了を通知するために、HeNBGW  C-Plane経由でMMEにS1AP:  Handover  Notifyメッセージを送信する。【００１７】
(S2001)  MMEは、S0012でS1AP:  Handover  Notifyメッセージを受信すると、S-GW  -  HeNBGW間のGTPトンネルの切り替えのために、Modify  Bearer  RequestメッセージをS-GWに送信する。【００１８】
(S2002)  S-GWは、S2001で受信したModify  Bearer  Requestメッセージに対する応答として、Modify  Bearer  ResponseメッセージをMMEに返送する。【００１９】
(S0013)  S-GWは、最後のdataであることを示すEnd  MarkerをDownlink  User  Plane  dataに挿入して、Source  HeNB向けのGTPトンネルへ送信する。HeNBGW  U-Planeは、このEnd  Markerが挿入されたDownlink  User  Plane  dataをSource  HeNBへ転送する。以降、S-GWは、Source  HeNB向けのHeNBGWのGTPトンネルに対しては、Downlink  User  Plane  Dataを送信しない。【００２０】
(S0014)  Source  HeNBは、S0010より開始しているData  Forwardingにおいて、S0013にて受信したEnd  Markerが挿入されたDownlink  User  Plane  dataをTarget  HeNBへ送信する。Target  HeNBは、End  Markerによって、S0010よりSource  HeNBから受信しているDownlink  User  Plane  dataの最後であることを検出し、その後、HeNBGW  U-Planeから直接受信するDownlink  User  Plane  dataをUEに送信するように、UEへのDownlink  User  Plane  dataの転送順序を保証する。【００２１】
(S0015)  S-GWは、Source  HeNB向けのHeNBGWのGTPトンネルからTarget  HeNB向けのHeNB  GWのGTPトンネルへ、Downlink  User  Plane  Dataの転送先を切り替える。切り替えタイミングは、S0013でEnd  Markerを挿入した直後である。ここで、S-GWとHeNBGW間のGTPトンネルのResourceは２重で確保されていることが求められる。ただし、仮に、HeNBGWとS-GW間が同じGTPトンネルによって実現される場合、HeNBGW  C-Planeにおいて、S0004でUEが同一であると判定することが必要であるとともに、HeNBGW  U-PlaneにおけるHeNBGW-HeNB間GTPトンネルの切り替えタイミングをEnd  Markerの受信タイミングに同期させる必要がある。しかし、これらの規定は3GPPの記述には定められていない。【００２２】
(S0016)  MMEは、Handover完了のため、Source  HeNBにおけるリソース解放を目的として、S1AP:  UE  Context  Release  CommandメッセージをHeNBGW  C-Plane経由でSource  HeNBに送信する。【００２３】
(S0017)  Source  HeNBは、S0016で受信したS1AP:  UE  Context  Release  Commandメッセージに対する応答として、S1AP:  UE  Context  Release  CompleteメッセージをHeNBGW  C-Plane経由でMMEに返送する。以上でHandover処理の完了となる。【００２４】
（Ｂ）動作例２
次に、LTEシステムにおいて、HeNB間のX2  Interfaceを用いる、Intra  HeNBGW  Inter  HeNB  X2  Based  Handoverを実施する場合の動作について、3GPPの記述に従って、図２を参照して説明する。【００２５】
(S1001)  まず、Downlink  User  Plane  Dataは、S-GWから、HeNBGW  U-Planeを経由し、Source  HeNBに送信され、さらにUEに送信される。【００２６】
(S1002)  Source  HeNBは、Target  HeNBへのUEの移動においてX2  based  Handoverの実施を決定する。【００２７】
(S1003)  Source  HeNBは、Target  HeNBへのUEの移動を要求するために、X2AP:  Handover  RequestメッセージをTarget  HeNBに対して送信する。【００２８】
(S1004)  Target  HeNBは、S1003で受信したX2AP:  Handover  Requestメッセージに対する応答として、X2AP:  Handover  Request  AcknowledgeメッセージをSource  HeNBに返送する。【００２９】
(S1005)  Source  HeNBは、S1004でX2AP:  Handover  Request  Acknowledgeメッセージを受信すると、RRC  Connection  ReconfigurationメッセージをUEに送信する。【００３０】
(S1006)  Source  HeNBは、Target  HeNBへTransparent  Containerを転送するために、X2AP:  SN  Status  TransferメッセージをTarget  HeNBに送信する。【００３１】
(S1007)  Source  HeNBは、S-GWからHeNBGW  U-Planeを介して受信していたDownlink  User  Plane  Dataを、UEに送信せず、Target  HeNBにForwardingするData  Forwardingを開始する。【００３２】
(S1008)  UEは、HeNB間移動に成功すると、RRC  Connection  Reconfiguration  CompleteメッセージをTarget  HeNBへ送信する。【００３３】
(S1009)  Target  HeNBは、S1008でRRC  Connection  Reconfiguration  Completeメッセージを受信すると、Handover完了と上位NodeへのGTPトンネルの切り替えとを要求するために、S1AP:  Path  Switch  RequestメッセージをHeNBGW  C-Plane経由でMMEに送信する。ここで、HeNBGW  C-Planeは、以降のS1010におけるS-GWによる経路切り替えを可能とするために、Source  HeNB向けのHeNBGW  U-PlaneのGTPトンネルと、Target  HeNB向けのHeNBGW  U-PlaneのGTPトンネルとに対し、どちらもHeNBGW  U-Planeに接続されるにもかかわらず、別々の値を設定する必要がある。【００３４】
(S2001)  MMEは、S1009でS1AP:  Path  Switch  Requestメッセージを受信すると、S-GWとHeNBGW間のGTPトンネルの切り替えのために、Modify  Bearer  RequestメッセージをS-GWに送信する。【００３５】
(S2002)  S-GWは、S2001で受信したModify  Bearer  Requestメッセージに対する応答として、Modify  Bearer  ResponseメッセージをMMEに返送する。【００３６】
(S0010)  S-GWは、End  MarkerをDownlink  User  Plane  dataに挿入して、Source  HeNB向けのHeNBGW  U-PlaneのGTPトンネルへ送信する。HeNBGW  U-Planeは、このEnd  Markerが挿入されたDownlink  User  Plane  dataをSource  HeNBへ転送する。以降、S-GWは、Source  HeNB向けのHeNBGW  U-PlaneのGTPトンネルに対しては、Downlink  User  Plane  Dataを送信しない。【００３７】
(S0011)  Source  HeNBは、S1007より開始しているData  Forwardingにおいて、S1010にて受信したEnd  Markerが挿入されたDownlink  User  Plane  dataをTarget  HeNBへ送信する。Target  HeNBは、End  Markerによって、S1007よりSource  HeNBから受信しているDownlink  User  Plane  dataの最後であることを検出し、その後、HeNBGW  U-Planeから直接受信するDownlink  User  Plane  dataをUEに送信するように、UEへのDownlink  User  Plane  dataの転送順序を保証する。【００３８】
(S1012)  S-GWは、Downlink  User  Plane  Dataの転送先をTarget  HeNBへ切り替える。ここで、S-GWは、S1001で送信していたSource  HeNB向けのHeNBGW  U-PlaneのGTPトンネルではなく、S1009でHeNBGW  C-PlaneからMMEに指定されたTarget  HeNB向けのHeNBGW  U-PlaneのGTPトンネルに対し、Downlink  User  Plane  Dataを送信することとなる。もし、仮に、S1009においてSource  HeNB向けのHeNBGW  U-PlaneのGTPトンネルと同じものをTarget  HeNB向けのHeNBGW  U-PlaneのGTPトンネルとして設定した場合、S-GWにとっては、同一HeNBGW向けにDownlink  User  Plane  Dataを送信することになるため、GTPトンネルの切り替えは不要である。この場合、HeNBGW  C-Planeは、以降のS1013でのメッセージ受信がGTPトンネルの切り替えのタイミングになると考えられる。【００３９】
(S1013)  MMEは、S1009で受信したS1AP:  Path  Switch  Requestメッセージに基づき、Source  HeNBが同一HeNBGW配下のHeNBであることを知り、S1AP:  Path  Switch  Request  Acknowledgeメッセージを折り返してHeNBGW経由でTarget  HeNBに送信する。【００４０】
(S1014)  Target  HeNBは、Handover完了のため、Source  HeNBにおけるリソース解放を目的として、X2AP:  UE  Context  ReleaseメッセージをSource  HeNBに送信する。
【先行技術文献】
【非特許文献】
【００４１】
【非特許文献１】TS  23.401  version  10.5.0
【非特許文献２】TS  36.300  version  10.5.0
【発明の概要】
【発明が解決しようとする課題】
【００４２】
しかし、上述したLTEシステムの動作例１，２には、以下に示すような問題点がある。【００４３】
（ａ）動作例１の問題点
（ａ−１）動作例１においては、S0003〜S0017においてHeNBGW  C-PlaneとMME間を送受信されるC-Plane  S1AP  Signallingが、ネットワークの負荷を圧迫すると共に、MMEの処理負荷も圧迫してしまうという問題点がある。【００４４】
（ａ−２）また、動作例１においては、HeNBGW  C-Planeにおいて、S0003とS0004が同じUEのためのC-Plane  S1AP  Signallingであることを判定することが、3GPPの記述には規定されていない。そのため、動作例１においては、MMEとHeNBGW  間のネットワークリソースが2重に確保されてしまうという問題点がある。【００４５】
（ａ−３）また、動作例１においては、（ａ−２）の問題点がHeNBGWで解決されたとしても、S0013において挿入されるEnd  MarkerをHeNBGW  U-Planeが受信するタイミングと、S0015でHeNBGW  U-PlaneがHeNBGWとHeNB間のGTPトンネルを切り替えるタイミングと、の同期方法については、3GPPの記述には規定されていない。そのため、動作例１においては、S0014におけるTarget  HeNBでのEnd  Markerを利用したDownlink  User  Plane  dataの転送順序が保証できないという問題点がある。【００４６】
（ｂ）動作例２の問題点
（ｂ−１）動作例２においては、S1009,S1013においてHeNBGW  C-PlaneとMME間を送受信されるC-Plane  S1AP  Signallingが、ネットワークの負荷を圧迫すると共に、MMEの処理負荷も圧迫してしまうという問題点がある。【００４７】
（ｂ−２）また、動作例２においては、S1010におけるEnd  Markerの設定とS1012におけるGTPトンネル切り替えのために、HeNBGW  U-PlaneとMME間のSource  HeNB向けネットワークリソースとTarget  HeNB向けネットワークリソースとを別々に確保する必要があり、リソースの圧迫を招いてしまうという問題点がある。【００４８】
（ｂ−３）また、動作例２においては、HeNBGWは、S1009の時点でHandoverが成功していることを認識しているにもかかわらず、S-GWが以降のS1012の時点でGTPトンネルの切り替えを実施している。そのため、動作例２においては、GTPトンネルの切り替えタイミングが遅く、HeNBGW  U-PlaneからSource  HeNBまでのネットワークリソース、Source  HeNBからTarget  HeNBまでのネットワークリソースの双方を圧迫してしまうという問題点がある。【００４９】
（ｂ−４）また、動作例２においては、S1009において、Source  HeNB向けのHeNBGW  U-PlaneのGTPトンネルと同じものをTarget  HeNB向けのHeNBGW  U-PlaneのGTPトンネルとして設定した場合、S-GWがEnd  Markerを挿入するタイミングと、HeNBGW  U-PlaneがGTPトンネルを切り替えるタイミング（S1013におけるS1AP:  Path  Switch  Request  Acknowledgeメッセージを受信したタイミング）とに誤差が生じるため、S1011におけるTarget  HeNBでのEnd  Markerを利用したDownlink  User  Plane  dataの転送順序が保証できないという問題点がある。【００５０】
そこで、本発明の目的は、上述した課題のいずれかを解決することができる基地局ゲートウェイ装置、無線通信システム、通信方法を提供することにある。
【課題を解決するための手段】
【００５１】
本発明の第１の基地局ゲートウェイ装置は、
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える。【００５２】
本発明の第２の基地局ゲートウェイ装置は、
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える。【００５３】
本発明の第１の無線通信システムは、
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える。【００５４】
本発明の第２の無線通信システムは、
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える。【００５５】
本発明の第１の通信方法は、
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端するステップと、
所定のタイミングで、前記サービングゲートウェイ装置から受信し前記ソース基地局に転送するＵプレーンデータに、該Ｕプレーンデータが最後であることを示すエンドマーカーを挿入するステップと、
前記エンドマーカーを挿入した直後のタイミングで、前記サービングゲートウェイ装置から受信したＵプレーンデータの転送先を、前記ソース基地局から前記ターゲット基地局に切り替えるステップと、を有する。【００５６】
本発明の第２の通信方法は、
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーするステップと、
所定のタイミングで、前記サービングゲートウェイ装置から受信し前記ソース基地局に転送するＵプレーンデータに、該Ｕプレーンデータが最後であることを示すエンドマーカーを挿入するステップと、
前記エンドマーカーを挿入した直後のタイミングで、前記サービングゲートウェイ装置から受信したＵプレーンデータの転送先を、前記ソース基地局から前記ターゲット基地局に切り替えるステップと、を有する。
【発明の効果】
【００５７】
本発明によれば、ネットワークの負荷や、MMEの処理負荷を低減することができる等の効果が得られる。
【図面の簡単な説明】
【００５８】
【図１】関連する無線通信システムの動作例１を説明するシーケンス図である。
【図２】関連する無線通信システムの動作例２を説明するシーケンス図である。
【図３】本発明の第１の実施形態の無線通信システムの構成を示す図である。
【図４】図３に示したHeNBGWの構成を示す図である。
【図５】本発明の第１の実施形態の無線通信システムの動作を説明するシーケンス図である。
【図６】本発明の第２の実施形態の無線通信システムの構成を示す図である。
【図７】本発明の第２の実施形態の無線通信システムの動作を説明するシーケンス図である。
【図８】本発明の第３の実施形態の無線通信システムの動作を説明するシーケンス図である。
【図９】本発明の第４の実施形態の無線通信システムの動作を説明するシーケンス図である。
【図１０】本発明の第５の実施形態の無線通信システムの動作を説明するシーケンス図である。
【図１１】本発明の第６の実施形態の無線通信システムの動作を説明するシーケンス図である。
【発明を実施するための形態】
【００５９】
以下に、本発明を実施するための形態について図面を参照して説明する。
（１）第１の実施形態
本実施形態は、Intra  HeNBGW  Inter  HeNB  S1  based  Handoverにおいて、HeNBGWがS1AP  SignallingをMMEへリレーせずに終端する場合におけるS1AP  Signalling処理とEnd  Marker処理の手順を規定したものである。
【００６０】
（１−１）第１の実施形態の構成
図３に、本実施形態の無線通信システムの構成を示す。
【００６１】
図３に示すように、本実施形態の無線通信システムは、フェムトセル201を構成するHeNB101と、フェムトセル202を構成するHeNB102と、HeNBGW301と、MME401と、S-GW402と、UE801と、を有するLTEシステムである。なお、本実施形態においては、HeNB101とHeNB102との間のX2  Interfaceは存在しない。
【００６２】
MME401は、C-Planeを処理する移動管理装置である。
【００６３】
S-GW402は、U-Planeを処理するサービングゲートウェイ装置である。
【００６４】
HeNB101,102は、UE801と無線通信を行う基地局である。
【００６５】
HeNBGW301は、HeNB101,102を制御する基地局ゲートウェイ装置である。
【００６６】
また、HeNBGW301は、HeNB101、HeNB102、MME401、及びS-GW402の各々とS1  Interfaceにより接続されている。
【００６７】
UE801は、移動端末であり、例えば、HeNB101が構成するフェムトセル201からHeNB102が構成するフェムトセル202へと移動するIntra  HeNBGW  Inter  HeNB  Handoverを行う。
【００６８】
本実施形態においては、Intra  HeNBGW  Inter  HeNB  Handoverを実施する場合、HeNB101とHeNB102との間のX2  Interfaceは存在しないため、HeNB101,102-  HeNBGW301  -  MME401/S-GW402間のS1  Interfaceを用いてS1  Based  Handoverが実施される。
【００６９】
図４に、図３に示したHeNBGW301の詳細構成を示す。
【００７０】
図４に示すように、HeNBGW301は、HeNBGW  U-Plane  3011と、HeNBGW  C-Plane  3012と、を有している。
【００７１】
HeNBGW  U-Plane  3011は、S-GW402と通信を行うと共に、HeNB101,102と通信を行うＣプレーン処理部である。
【００７２】
HeNBGW  C-Plane  3012は、MME401と通信を行うＵプレーン処理部である。
【００７３】
なお、HeNBGW  U-Plane  3011とHeNBGW  C-Plane  3012とは互いに接続されている。
【００７４】
HeNBGW  U-Plane  3011は、GTU-Uの制御のみならず、TNL（Transport  Network  Layer）の制御ノードとして動作する。例えば、HeNBGW  U-Plane  3011は、Security  Gateway機能を具備することも可能であり、HeNB101,102とHeNBGW301との間のネットワークにおいてIP  Sec  トンネルを確立することも可能であるとする。
【００７５】
U-Plane  Dataは、S-GW402とHeNB101,102との間を、HeNBGW  U-Plane  3011経由にて送受信される。
【００７６】
C-Plane  S1AP  Signallingは、MME401とHeNB101,102との間を、HeNBGW  U-Plane  3011及びHeNBGW  C-Plane  3012経由にて送受信される。
【００７７】
特に、HeNBGW  C-Plane  3012は、S1AP  SignallingをMME401へリレーしないで終端することも可能とする。MME401とHeNBGW  C-Plane  3012との間のS1AP  Signallingは、HeNBGW  C-Plane  3012によって終端され編集された上で、HeNBGW  C-Plane  3012とHeNB101,  HeNB102との間のS1AP  Signallingに載せ換えられる。逆も同じである。
【００７８】
（１−２）第１の実施形態の動作
本実施形態の無線通信システムにおいて、Intra  HeNBGW  Inter  HeNB  S1  Based  Handoverにおける動作について、図５を参照して説明する。ここでは、HeNB101がSource  HeNB（ソース基地局）になり、HeNB102がTarget  HeNB（ターゲット基地局）になるものとする（以下の実施形態において同じ）。
【００７９】
(S0001)  まず、Downlink  User  Plane  Dataは、S-GW402から、HeNBGW  U-Plane3011を経由し、Source  HeNB101に送信され、さらにUE801に送信される。
【００８０】
(S0002)  Source  HeNB101は、Target  HeNB102へのUE801の移動においてS1  based  Handoverの実施を決定する。ここで、Source  HeNB101におけるS1HO/X2HOの決定論理については、HeNBGW301の存在有無にかかわらず、HeNB間X2  Interfaceが存在しなければ、X2  Based  HandoverではなくS1  Based  Handoverを実施するなど、LTEシステムの技術者においては一般的な技術であるため、詳細は記載しない。
【００８１】
(S0003)  Source  HeNB101は、Target  HeNB102へのUE801の移動を要求するために、S1AP:  Handover  RequiredメッセージをHeNBGW  C-Plane3012に対して送信する。S0003を含む以降のステップでは、HeNB101,102とHeNBGW301間のメッセージは、C/U-Planeメッセージ共にHeNBGW  U-Plane3011を経由している。しかし、一般的に、HeNB101,102とHeNBGW301間のメッセージは、IP  SecによってNetwork  Securityを保証しているため、同じ経路を通ることが通例である。HeNB101,102とHeNBGW301間にIP  Secトンネルを確立しない場合には、HeNBGW  U-Plane3011を経由しなくとも構わないが、S0012のGTPトンネル切り替えのためにHeNBGW  U-Plane3011を経由するものとして説明を続ける。
【００８２】
(S0004)  HeNBGW  C-Plane3012は、S0003で受信したS1AP:  Handover  Requiredメッセージに基づき、Target  HeNB102が同一HeNBGW301配下のHeNBであることを知り、Handover  Request  メッセージを自ら生成する。すなわち、HeNBGW301は、MME401へS1AP:  Handover  Requiredメッセージを転送することなく、Target  HeNB102へ折り返してS1AP:  Handover  Requestメッセージを送信する。ここで、S1AP:  Handover  Requestメッセージには、Mandatory  ParameterであるE-RAB  ParameterやSecurity  Context  (Next  Hop  Chaining  Count（以下NCC）及びSecurity  Key）などを設定するが、この設定には、UE801が初めてHeNBGW301に接続したときにMME401から取得した値を記憶部（不図示）に記憶しておき、これを再利用する。つまり、UE801の発着信によって初めてHeNBGW301に接続した場合には、非特許文献１（TS36.300  version  10.5.0）のFigure  19.2.2.3-1を参照すると、S1AP:  Initial  Context  Setup  Requestメッセージに設定されるE-RAB  ParameterやSecurity  Keyを用いて、常にNCC  =  0としてSecurity  Contextを生成する。また、UE801の移動によって初めてHeNBGW301に接続した場合には、非特許文献１（TS36.300  version  10.5.0）のFigure  19.2.2.5.2-1を参照すると、S1AP:  Handover  RequestメッセージのE-RAB  ParameterやSecurity  Context  (NCC及びSecurity  Key)をそのまま利用する。
【００８３】
なお、HeNBGW  C-Plane3012は、S0003で受信したS1AP:  Handover  RequiredメッセージのSource  to  Target  Transparent  Containerを、S0004で送信するS1AP:  Handover  Requestメッセージに折り返し設定する。
【００８４】
また、E-RAB  ParameterやSecurity  Contextは、他のS1AP  Signallingによって変更や追加が行われるので、HeNBGW  C-Plane3012は、それらを記憶部（不図示）に適宜記憶し、S0004のHandover  Requestメッセージの生成に利用する。
【００８５】
(S0005)  Target  HeNB102は、S0004で受信したS1AP:  Handover  Requestメッセージに対する応答として、S1AP:  Handover  Request  AcknowledgeメッセージをHeNBGW  C-Plane3012に返送する。ここで、Target  HeNB102は、Handoverを受け入れるためのResource  Allocationを実施し、後のS0007で送信されるRRC  Connection  ReconfigurationメッセージのTransparent  Containerを構築するなどを行うが、これらはLTEシステムの技術者においては一般的な技術であるため、詳細は記載しない。
【００８６】
(S0006)  HeNBGW  C-Plane3012は、S0005で受信したS1AP:  Handover  Request  Acknowledge  メッセージをMME401に転送することなく、Handover  Commandメッセージを自ら生成して、折り返しSource  HeNB101にS1AP:  Handover  Commandメッセージを送信する。
【００８７】
(S0007)  Source  HeNB101は、S0006でS1AP:  Handover  Commandメッセージを受信すると、RRC  Connection  ReconfigurationメッセージをUE801に送信する。
【００８８】
(S0008)  Source  HeNB101は、Target  HeNB102へTransparent  Containerを転送するために、HeNBGW  C-Plane3012にS1AP:  eNB  Status  Transferメッセージを送信する。
【００８９】
(S0009)  HeNBGW  C-Plane3012は、S0008で受信したS1AP:  eNB  Status  TransferメッセージをMME401に転送することなくS1AP:  MME  Status  Transferメッセージに乗せ換えてTarget  HeNB102に送信する。
【００９０】
(S0010)  Source  HeNB101は、S-GW402からHeNBGW  U-Plane3011を介して受信していたDownlink  User  Plane  Dataを、UE801に送信せず、Target  HeNB102へForwardingするData  Forwardingを開始する。
【００９１】
(S0011)  UE801は、HeNB101,102間移動に成功すると、RRC  Connection  Reconfiguration  CompleteメッセージをTarget  HeNB102へ送信する。
【００９２】
(S0012)  Target  HeNB102は、S0011でRRC  Connection  Reconfiguration  Completeメッセージを受信すると、Handover完了を通知するために、HeNBGW  U-Plane3011経由でHeNBGW  C-Plane3012にS1AP:  Handover  Notifyメッセージを送信する。
【００９３】
(S0013)  S0012にてS1AP:  Handover  NotifyメッセージをリレーしたHeNBGW  U-Plane3011は、このメッセージを受信したタイミングで、Source  HeNB101に向けて、End  Markerを挿入したDownlink  User  Plane  Data送信する。以降、HeNBGW  U-Plane3011は、Source  HeNB101に対してDownlink  User  Plane  Dataを送信しない。
【００９４】
(S0014)  Source  HeNB101は、S0010より開始しているData  Forwardingにおいて、S0014にて受信したEnd  MarkerをDownlink  User  Plane  Dataに含めてTarget  HeNB102へ送信する。Target  HeNB102は、End  Marker  によって、S0010よりSource  HeNB101から受信しているDownlink  User  Plane  Dataの最後であることを検出し、その後、HeNBGW  U-Plane3011から直接受信するDownlink  User  Plane  DataをUE801に送信するように、UE801へのDownlink  User  Plane  dataの転送順序を保証する。
【００９５】
(S0015)  HeNBGW  U-Plane3011は、S0012にてS1AP:  Handover  Notifyメッセージをリレーし、S0013にてEnd  Markerを挿入した直後に、S-GW402から受信するDownlink  User  Plane  Dataの転送先をTarget  HeNB102に切り替える。
【００９６】
なお、S0013及びS0015において、HeNBGW  U-Plane3011は、自らS0012のS1AP:  Handover  Notifyメッセージを読み込むことで、GTPトンネルの切り替えタイミングを判断しているが、これには限定されない。HeNBGW  C-Plane3012が、S0012にてS1AP:  Handover  Notifyメッセージを受信して、HeNBGW  U-Plane3011に対してGTPトンネルの切り替えを指示してもよい。この場合、切り替えの指示は、C/U-Plane間Interface  (H.248やGTP-Cプロトコル、もしくは独自プロトコル)にて行われる。特に、S0003で説明した通り、S1AP  SignallingメッセージがHeNBGW  U-Plane3011を経由しない場合には、C/U-Plane間Interfaceが用いられて、HeNBGW  C-Plane3012からHeNBGW  U-Plane3011に対して、Source  HeNB101とTarget  HeNB102とのDownlink  User  Plane  DataのGTPトンネルの切り替えが指示される。
【００９７】
(S0016)  HeNBGW  C-Plane3012は、Handover完了のため、Source  HeNB101におけるリソース解放を目的として、S1AP:  UE  Context  Release  Commandメッセージを自ら生成してSource  HeNB101に送信する。
【００９８】
(S0017)  Source  HeNB101は、S0016で受信したS1AP:  UE  Context  Release  Commandメッセージに対する応答として、S1AP:  UE  Context  Release  CompleteメッセージをHeNBGW  C-Plane3012に返送する。以上で、HeNBGW  C-Plane3012はHandover処理を完了する。
【００９９】
（１−３）第１の実施形態の効果
（１−３−１）本実施形態においては、Intra  HeNBGW  Inter  HeNB  S1  based  Handoverにおいて、HeNBGW301は、S0003〜S0006、S0008,  S0009,  S0012,  S0016,  S0017のS1AP  SignallingをMME401にリレーせずに終端し、ハンドオーバ手順の処理（S1AP:  Handover  Requestメッセージ、S1AP:  Handover  Commandメッセージ、MME  Status  Transferメッセージ、S1AP:  UE  Context  Release  Commandメッセージの送信、End  Markerの挿入）を行う。
【０１００】
よって、Intra  HeNBGW  Inter  HeNB  S1  based  Handoverにおいて、S1AP  SignallingがMME401-HeNBGW  C-Plane3012間を通信されないため、MME401-HeNBGW301間のネットワークリソース負荷の低減及びMME401の処理負荷の低減を図ることができるという効果が得られる。
【０１０１】
（１−３−２）また、本実施形態においては、Intra  HeNBGW  Inter  HeNB  S1  based  Handoverにおいて、HeNBGW301は、S0003とS0004が同じUEのためのC-Plane  S1AP  Signallingであると判定することができるため、MME401とHeNBGW301間のネットワークリソースが2重に確保されてしまうことが回避できるという効果が得られる。
【０１０２】
（１−３−３）また、本実施形態においては、Intra  HeNBGW  Inter  HeNB  S1  based  Handoverにおいて、HeNBGW301は、UE801が初めてHeNBGW301に接続したときのSecurity  Key及びNCCを記憶部（不図示）に記憶しておき、S0004において、そのSecurity  Key及びNCCを再利用してS1AP:  Handover  Requestメッセージを送信するため、SecureなNetworkを維持することができるという効果が得られる。
【０１０３】
（１−３−４）また、本実施形態においては、HeNBGW301は、S0013において、Downlink  User  Plane  Data  にEnd  Markerを挿入し、End  Markerを挿入したタイミングでSource  HeNB101とTarget  HeNB102のGTPトンネルの切り替えを実現できるため、Target  HeNB102でのDownlink  User  Plane  dataの転送順序を保証できるという効果が得られる。
【０１０４】
（２）第２の実施形態
本実施形態は、Intra  HeNBGW  Inter  HeNB  X2  based  Handoverにおいて、HeNBGWがS1AP  SignallingをMMEへリレーせずに終端する場合におけるS1AP  Signalling処理とEnd  Marker処理の手順を規定したものである。
【０１０５】
（２−１）第２の実施形態の構成
図６に、本実施形態の無線通信システムの構成を示す。
【０１０６】
図６に示すように、本実施形態の無線通信システムは、図３の第１の実施形態と基本構成は同様であるが、HeNB101とHeNB102との間にX2  Interfaceが存在する点が異なる。
【０１０７】
そのため、本実施形態においては、Intra  HeNBGW  Inter  HeNB  Handoverを実施する場合、HeNB101とHeNB102との間のX2  Interfaceを用いてX2  Based  Handoverが実施される。
【０１０８】
なお、HeNBGW301の詳細構成は図４と全く同じである。
【０１０９】
（２−２）第２の実施形態の動作
本実施形態の無線通信システムにおいて、Intra  HeNBGW  Inter  HeNB  X2  based  Handoverにおける動作について、図７を参照して説明する。
【０１１０】
(S1001)  まず、Downlink  User  Plane  Dataは、S-GW402から、HeNBGW  U-Plane3011を経由し、Source  HeNB101に送信され、さらにUE801に送信される。
【０１１１】
(S1002)  Source  HeNB101は、Target  HeNB102へのUE801の移動においてX2  based  Handoverの実施を決定する。ここで、Source  HeNB101におけるS1HO/X2HOの決定論理については、HeNBGW301の存在有無にかかわらず、HeNB間X2  Interfaceが存在し、上位接続するMME401が同一であればS1  Based  HandoverではなくX2  Based  Handoverをするなど、LTEシステムの技術者においては一般的な技術であるため、詳細は記載しない。
【０１１２】
(S1003)  Source  HeNB101は、Target  HeNB102へのUE801の移動を要求するために、X2AP:  Handover  RequestメッセージをTarget  HeNB102に対して送信する。
【０１１３】
(S1004)  Target  HeNB102は、S1003で受信したX2AP:  Handover  Requestメッセージに対する応答として、X2AP:  Handover  Request  AcknowledgeメッセージをSource  HeNB101に返送する。ここで、Target  HeNB102は、Handoverを受け入れるためのResource  Allocationを実施し、後のS1005で送信されるRRC  Connection  ReconfigurationメッセージのTransparent  Containerを構築するなどを行うが、これらはLTEシステムの技術者においては一般的な技術であるため、詳細は記載しない。
【０１１４】
(S1005)  Source  HeNB101は、S1004でX2AP:  Handover  Request  Acknowledgeメッセージを受信すると、RRC  Connection  ReconfigurationメッセージをUE801に送信する。
【０１１５】
(S1006)  Source  HeNB101は、Target  HeNB102へTransparent  Containerを転送するために、X2AP:  SN  Status  TransferメッセージをTarget  HeNB102に送信する。
【０１１６】
(S1007)  Source  HeNB101は、S-GW402からHeNBGW  U-Plane3011を介して受信していたDownlink  User  Plane  Dataを、UE801に送信せず、Target  HeNB102へForwardingするData  Forwardingを開始する。
【０１１７】
(S1008)  UE801は、HeNB101,102間移動に成功すると、RRC  Connection  Reconfiguration  CompleteメッセージをTarget  HeNB102へ送信する。
【０１１８】
(S1009)  Target  HeNB102は、Handover完了と上位NodeへのGTPトンネルの切り替えとを要求するために、S1AP:  Path  Switch  RequestメッセージをHeNBGW  C-Plane3012に送信する。ここで、S1009及び後のS1013のTarget  HeNB102-HeNBGW301間メッセージは、C/U-Planeメッセージ共にHeNBGW  U-Plane3011を経由している。しかし、一般的に、HeNB101,102とHeNBGW301間のメッセージは、IP  SecによってNetwork  Securityを保証しているため、同じ経路を通ることが通例である。HeNBGW  U-Plane3011を経由しなくとも構わないが、S1010のGTPトンネル切り替えのためにHeNBGW  U-Plane3011を経由するものとして説明を続ける。
【０１１９】
(S1010)  S1009にてS1AP:  Path  Switch  RequestメッセージをリレーしたHeNBGW  U-Plane3011は、このメッセージを受信したタイミングで、Source  HeNB101に向けてEnd  Markerを挿入したDownlink  User  Plane  Dataを送信する。以降、HeNBGW  U-Plane3011は、Source  HeNB101に対してDownlink  User  Plane  Dataを送信しない。
【０１２０】
(S1011)  Source  HeNB101は、S1007より開始しているData  Forwardingにおいて、S1011にて受信したEnd  Markerが挿入されたDownlink  User  Plane  DataをTarget  HeNB102へ送信する。Target  HeNB102は、End  Markerによって、S1007よりSource  HeNB101から受信しているDownlink  Dataの最後であることを検出し、その後、HeNBGW  U-Plane3011から直接受信するDownlink  DataをUE801に送信するように、UE801へのDownlink  User  Plane  dataの転送順序を保証する。
【０１２１】
(S1012)  HeNBGW  U-Plane3011は、S1009にてPath  Switch  Requestをリレーし、S1010にてEnd  Markerを挿入した直後に、S-GW402から受信するDownlink  User  Plane  Dataの転送先をTarget  HeNB102に切り替える。
【０１２２】
ここで、HeNBGW  U-Plane3011は、自らS1009のS1AP:  Path  Switch  Requestメッセージを読み込むことで、GTPトンネルの切り替えタイミングを判断しているが、これには限定されない。HeNBGW  C-Plane3012が、S1009にてS1AP:  Path  Switch  Requestメッセージを受信して、HeNBGW  U-Plane3011に対してGTPトンネルの切り替えを指示してもよい。この点については第１の実施形態のS0015と同様である。
【０１２３】
(S1013)  HeNBGW  C-Plane3012は、S1009で受信したS1AP:  Path  Switch  Requestメッセージに基づき、Source  HeNB101が同一HeNBGW301配下のHeNBであることを知る。そのため、HeNBGW  C-Plane3012は、このS1AP:  Path  Switch  RequestメッセージをMME401へ転送することなく、Target  HeNB102へ折り返してS1AP:  Path  Switch  Request  Acknowledgeメッセージを送信する。ここで、S1AP:  Path  Switch  Request  Acknowledgeメッセージには、Mandatory  ParameterであるSecurity  Context  (NCC及びSecurity  Key)を設定するが、この設定には、UE801が初めてHeNBGW301に接続したときのSecurity  Key及びNCCを記憶部（不図示）に記憶しておき、これを再利用する。この点については第１の実施形態のS0004と同様である。
【０１２４】
(S1014)  Target  HeNB102は、Handover完了のため、Source  HeNB101におけるリソース解放を目的として、X2AP:  UE  Context  ReleaseメッセージをSource  HeNB101に送信する。
【０１２５】
（２−３）第２の実施形態の効果
（２−３−１）本実施形態においては、Intra  HeNBGW  Inter  HeNB  X2  based  Handoverにおいて、HeNBGW301は、S1009,S1013のS1AP  SignallingをMME401にリレーせずに終端し、ハンドオーバ手順の処理（S1AP:  Path  Switch  Request  Acknowledgeメッセージの送信、End  Markerの挿入）を行う。
【０１２６】
よって、Intra  HeNBGW  Inter  HeNB  X2  based  Handoverにおいて、S1AP  SignallingがMME401-HeNBGW  C-Plane3012間を通信されないため、MME401-HeNBGW301間のネットワークリソース負荷の低減及びMME401の処理負荷の低減を図ることができるという効果が得られる。
【０１２７】
（２−３−２）また、本実施形態においては、Intra  HeNBGW  Inter  HeNB  X2  based  Handoverにおいて、HeNBGW  U-PlaneとMME間のSource  HeNB向けネットワークリソースとTarget  HeNB向けネットワークリソースとを別々に確保する必要がないため、リソースの低減を図ることができるという効果が得られる。
【０１２８】
（２−３−３）また、本実施形態においては、Intra  HeNBGW  Inter  HeNB  X2  based  Handoverにおいて、HeNBGW301は、UE801が初めてHeNBGW301に接続したときのSecurity  Key及びNCCを記憶部（不図示）に記憶しておき、S1013において、そのSecurity  Key及びNCCを再利用してS1AP:  Path  Switch  Request  Acknowledgeメッセージを送信するため、SecureなNetworkを維持することができるという効果が得られる。
【０１２９】
（２−３−４）また、本実施形態においては、HeNBGW301は、S1010において、Downlink  User  Plane  Data  にEnd  Markerを挿入し、End  Markerを挿入したタイミングでSource  HeNB101とTarget  HeNB102のGTPトンネル切り替えを実現できるため、Target  HeNB102でのDownlink  User  Plane  dataの転送順序を保証できるという効果が得られる。
【０１３０】
（２−３−５）また、本実施形態においては、HeNBGW301は、S1009でHandoverが成功していることを認識した時点で、End  Markerを挿入し、Source  HeNB101とTarget  HeNB102のGTPトンネル切り替えを実現できるため、GTPトンネルの切り替えをタイミング良く行うことができ、HeNBGW  U-Plane3011からSource  HeNB101までのネットワークリソース、Source  HeNB101からTarget  HeNB102までのネットワークリソースの双方を圧迫してしまうことが回避できるという効果が得られる。
【０１３１】
（３）第３の実施形態
本実施形態は、Intra  HeNBGW  Inter  HeNB  S1  based  Handoverにおいて、HeNBGWがS1AP  Signallingを終端せずにMMEへリレーする場合におけるS1AP  Signalling処理とEnd  Marker処理の手順を規定したものである。
【０１３２】
（３−１）第３の実施形態の構成
本実施形態の無線通信システムの構成は、図３及び図４と同様である。
【０１３３】
（３−２）第３の実施形態の動作
本実施形態の無線通信システムにおいて、Intra  HeNBGW  Inter  HeNB  S1  Based  Handoverにおける動作について、図８を参照して説明する。以下では、第１の実施形態と異なるステップのみについて説明し、第１の実施形態と同じ番号が使われている他のステップは全く同じ説明が適用されるものとする。
【０１３４】
(S0003)  Source  HeNB101は、Target  HeNB102へのUE801の移動を要求するために、S1AP:  Handover  RequiredメッセージをHeNBGW  C-Plane3012に対して送信する。HeNBGW  C-Plane3012は、このS1AP:  Handover  RequiredメッセージをMME401へ転送する。
【０１３５】
(S0004)  MME401は、S0003で受信したS1AP:  Handover  Requiredメッセージに基づき、Target  HeNB102が同一HeNBGW301配下のHeNBであることを知り、Target  HeNB102を制御するHeNBGW301へ折り返してS1AP:  Handover  Requestメッセージを送信する。一方、HeNBGW301は、S0004のS1AP:  Handover  Requestメッセージが対象とするUE801が、S0003のS1AP:  Handover  Requiredメッセージが対象とするUE801と同一であることを、E-RABs  To  Be  Setup  ListやSource  to  Target  Transparent  Container等の各種パラメータより予測判定する。なお、この予測判定は、HeNBGW  U-Plane3011またはHeNBGW  C-Plane3012いずれか行えば良い。
【０１３６】
(S0005)  Target  HeNB102は、S0003で受信したS1AP:  Handover  Requestメッセージに対する応答として、S1AP:  Handover  Request  AcknowledgeメッセージをHeNBGW  C-Plane3012経由でMME401に返送する。
【０１３７】
(S0006)  MME401は、S0005で受信したS1AP:  Handover  Request  Acknowledgeメッセージを受信すると、S1AP:  Handover  Commandメッセージを同一HeNBGW301経由でSource  HeNB101に送信する。
【０１３８】
(S0008)  Source  HeNB101は、Target  HeNB102へTransparent  Containerを転送するために、HeNBGW  C-Plane3012経由でMME401にS1AP:  eNB  Status  Transferメッセージを送信する。
【０１３９】
(S0009)  MME401は、S0008で受信したS1AP:  eNB  Status  TransferメッセージをS1AP:  MME  Status  Transferメッセージに乗せ換えて、HeNBGW  C-Plane3012経由でTarget  HeNB102に送信する。
【０１４０】
(S0015)  HeNBGW  U-Plane3011は、S0012にてS1AP:  Handover  Notifyメッセージをリレーし、S0013にてEnd  Markerを挿入した直後に、S-GW402から受信するDownlink  User  Plane  Dataの転送先をTarget  HeNB102へ切り替える。HeNBGW301は、S0004にて、S0003とS0004のメッセージが同一のUE801のHandoverのためのSignallingであると判定しているため、GTPトンネルの切り替えをHeNBGW301の内部で実施することができる。
【０１４１】
以下のS2001,  S2002,  S2003は、S0014,S0015と並行して実施される。
(S2001)  MME401は、S0012でS1AP:  Handover  Notifyメッセージを受信すると、S-GW402  -  HeNBGW301間のGTPトンネルの切り替えのために、Modify  Bearer  RequestメッセージをS-GW402に送信する。
【０１４２】
(S2002)  S-GW402は、S2001で受信したModify  Bearer  Requestメッセージに対する応答として、Modify  Bearer  ResponseメッセージをMME401に返送する。
【０１４３】
(S2003)  S-GW402は、GTPトンネルの切り替えのために、End  MarkerをDownlink  User  Plane  Dataに挿入してHeNBGW  U-Plane3011に送信する。しかし、HeNBGW  U-Plane3011は、受信したEnd  Markerを解除して破棄する。
【０１４４】
(S0016)  MME401は、Handover完了のため、Source  HeNB101におけるリソース解放を目的として、HeNBGW  C-Plane3012経由でSource  HeNB101にS1AP:  UE  Context  Release  Commandメッセージを送信する。
【０１４５】
(S0017)  Target  HeNB102は、S0016で受信したS1AP:  UE  Context  Release  Commandメッセージに対する応答として、S1AP:  UE  Context  Release  CompleteメッセージをHeNBGW  C-Plane経由でMME401に返送する。以上でHandover処理の完了となる。
【０１４６】
（３−３）第３の実施形態の効果
（３−３−１）本実施形態においては、HeNBGW301は、S0004において、Handover  RequiredとHandover  Requestの各メッセージが対象とするUE801を同一と判定する処理を行うため、S0015におけるGTPトンネルの切り替えを実現できるとともに、MME401とHeNBGW301間のネットワークリソースが2重に確保されてしまうことが回避できるという効果が得られる。
【０１４７】
（３−３−２）また、本実施形態においては、HeNBGW301は、S2003において、S-GW402が送信するEnd  Markerを破棄するため、S-GW402が送信してきたEnd  Markerの影響を受けずに、S0014におけるTarget  HeNB102のDownlink  User  Plane  dataの転送順序を保証することができるという効果が得られる。
【０１４８】
（３−３−３）また、本実施形態においては、HeNBGW301は、S0013において、End  Markerを生成しているため、S2003において、S-GW402がEnd  Markerを送信しないケースでも、S0014におけるTarget  HeNB102のDownlink  User  Plane  dataの転送順序を保証することができるという効果が得られる。なお、上記のケースは、S-GW402側から見てHandover前後で送信先が同じHeNBGW301のGTPトンネルである状況で、End  Markerを送信しないような実装をS-GW402に施している場合に生じる可能性がある。
【０１４９】
（４）第４の実施形態
本実施形態は、Intra  HeNBGW  Inter  HeNB  X2  based  Handoverにおいて、HeNBGWがS1AP  Signallingを終端せずにMMEへリレーする場合におけるS1AP  Signalling処理とEnd  Marker処理の手順を規定したものである。
【０１５０】
（４−１）第４の実施形態の構成
本実施形態の無線通信システムの構成は、図６及び図４と同様である。
【０１５１】
（４−２）第４の実施形態の動作
本実施形態の無線通信システムにおいて、Intra  HeNBGW  Inter  HeNB  X2  Based  Handoverにおける動作について、図９を参照して説明する。以下では、第２の実施形態と異なるステップのみについて説明し、第２の実施形態と同じ番号が使われている他のステップは全く同じ説明が適用されるものとする。
【０１５２】
(S1009)  Target  HeNB102は、Handover完了と上位NodeへのGTPトンネルの切り替えとを要求するために、S1AP:  Path  Switch  RequestメッセージをHeNBGW  C-Plane3012経由でMME401に送信する。
【０１５３】
(S1013)  MME401は、S1009で受信したS1AP  Path  Switch  Requestメッセージに基づき、Source  HeNB101が同一HeNBGW301配下のHeNBであることを知り、S1AP  Path  Switch  Request  Acknowledgeメッセージを折り返してHeNBGW301経由でTarget  HeNB102に送信する。
【０１５４】
以下のS2001,  S2002,  S2003は、S1011,1012と並行して実施される。
(S2001)  MME401は、S1009でS1AP:  Path  Switch  Requestメッセージを受信すると、S-GW402とHeNBGW301間のGTPトンネルの切り替えのために、Modify  Bearer  RequestメッセージをS-GW402に送信する。
【０１５５】
(S2002)  S-GW402は、S2001で受信したModify  Bearer  Requestメッセージに対する応答として、Modify  Bearer  ResponseメッセージをMME401に返送する。
【０１５６】
(S2003)  S-GW402は、GTPトンネルの切り替えのために、End  MarkerをDownlink  User  Plane  Dataに挿入してHeNBGW  U-Plane3011に送信する。しかし、HeNBGW  U-Plane3011は、受信したEnd  Markerを解除して破棄する。
【０１５７】
（４−３）第４の実施形態の効果
（４−３−１）本実施形態においては、HeNBGW301は、S1010において、Downlink  User  Plane  Data  にEnd  Markerを挿入し、End  Markerを挿入したタイミングでSource  HeNB101とTarget  HeNB102のGTPトンネル切り替えを実現できるため、S1012におけるTarget  HeNB102でのDownlink  User  Plane  dataの転送順序を保証できるという効果が得られる。
【０１５８】
（４−３−４）また、本実施形態においては、HeNBGW301は、S1009でHandoverが成功していることを認識した時点で、End  Markerを挿入し、Source  HeNB101とTarget  HeNB102のGTPトンネル切り替えを実現できるため、GTPトンネルの切り替えをタイミング良く行うことができ、HeNBGW  U-Plane3011からSource  HeNB101までのネットワークリソース、Source  HeNB101からTarget  HeNB102までのネットワークリソースの双方を圧迫してしまうことが回避できるという効果が得られる。
【０１５９】
（４−３−５）また、本実施形態においては、HeNBGW301は、S2003において、S-GW402が送信するEnd  Markerを破棄するため、S-GW402が送信してきたEnd  Markerの影響を受けずに、S1012におけるTarget  HeNB102のDownlink  User  Plane  dataの転送順序を保証することができるという効果が得られる。
【０１６０】
（４−３−６）また、本実施形態においては、HeNBGW301は、S1010において、End  Markerを生成しているため、S2003において、S-GW402がEnd  Markerを送信しないケースでも、S1011におけるTarget  HeNB102のDownlink  User  Plane  dataの転送順序を保証することができるという効果が得られる。なお、上記のケースは、S-GW402側から見てHandover前後で送信先が同じHeNBGW301のGTPトンネルである状況で、End  Markerを送信しないような実装をS-GW402に施している場合に生じる可能性がある。
【０１６１】
（５）第５の実施形態
本実施形態は、Intra  HeNBGW  Inter  HeNB  S1  based  Handoverにおいて、HeNBGWがS1AP  Signallingを終端せずにMMEへリレーする場合におけるS1AP  Signalling処理とEnd  Marker検出に基づく経路切り替え処理の手順を規定したものである。
【０１６２】
（５−１）第５の実施形態の構成
本実施形態の無線通信システムの構成は、図３及び図４と同様である。
【０１６３】
（５−２）第５の実施形態の動作
本実施形態の無線通信システムにおいて、Intra  HeNBGW  Inter  HeNB  S1  Based  Handoverにおける動作について、図１０を参照して説明する。以下では、第３の実施形態と異なるステップのみについて説明し、第３の実施形態と同じ番号が使われている他のステップは全く同じ説明が適用されるものとする。
【０１６４】
(S2003)  S-GW402は、S2002でModify  Bearer  ResponseメッセージをMME401に返送した後、GTPトンネル切り替えのために、End  MarkerをDownlink  User  Plane  dataに挿入してHeNBGW  U-Plane3011に送信する。HeNBGW  U-Plane3011は、S-GW402からEnd  Markerを受信したタイミングでTarget  HeNB102のGTPトンネルへの切り替えのタイミングを知る。
【０１６５】
(S0013)  S2003にてEnd  Markerを受信したHeNBGW  U-Plane3011は、このEnd  Markerを受信したタイミングで、Source  HeNB101に向けて、End  Markerを挿入したDownlink  User  Plane  dataを送信する。以降、HeNBGW  U-Plane3011は、Source  HeNB101に対してDownlink  User  Plane  Dataを送信しない。
【０１６６】
(S0014)  Source  HeNB101は、S0010より開始しているData  Forwardingにおいて、S0014にて受信したEnd  Markerが挿入されたDownlink  User  Plane  DataをTarget  HeNB102へ送信する。Target  HeNB102は、End  Markerによって、S0010よりSource  HeNB101から受信しているDownlink  Dataの最後であることを検出し、その後、HeNBGW  U-Plane3011から直接受信するDownlink  DataをUE801に送信するように、UE801へのDownlink  User  Plane  Dataの転送順序を保証する。
【０１６７】
(S0015)  HeNBGW  U-Plane3011は、S2003にてEnd  Markerを受信し、S0013にてEnd  Markerを挿入した直後に、S-GW402から受信するDownlink  User  Plane  Dataの転送先をTarget  HeNB102へ切り替える。HeNBGW301は、S0004にて、S0003とS0004のメッセージが同一のUE801のHandoverのためのS1AP  Signallingであると判定しているため、GTPトンネルの切り替えをHeNBGW301内部で実施することができる。
【０１６８】
（５−３）第５の実施形態の効果
（５−３−１）本実施形態においては、HeNBGW301は、S2003におけるEnd  Markerの受信タイミングにて、S0015においてS-GW402から受信するDownlink  User  Plane  Dataの転送先をTarget  HeNB102のGTPトンネルへ切り替えるタイミングを知るため、End  Markerが挿入されたDownlink  User  Plane  Data及びその前後のDownlink  User  Plane  Dataの転送がHeNBGW  U-Plane3011によって実現され、その結果、S0014におけるDownlink  User  Plane  dataの転送順序を保証することができるという効果が得られる。
【０１６９】
（６）第６の実施形態
本実施形態は、Intra  HeNBGW  Inter  HeNB  X2  based  Handoverにおいて、HeNBGWがS1AP  Signallingを終端せずにMMEへリレーする場合におけるS1AP  Signalling処理とEnd  Marker検出に基づく経路切り替え処理の手順を規定したものである。
【０１７０】
（６−１）第６の実施形態の構成
本実施形態の無線通信システムの構成は、図６及び図４と同様である。
【０１７１】
（６−２）第６の実施形態の動作
本実施形態の無線通信システムにおいて、Intra  HeNBGW  Inter  HeNB  X2  Based  Handoverにおける動作について、図１１を参照して説明する。以下では、第４の実施形態と異なるステップのみについて説明し、第４の実施形態と同じ番号が使われている他のステップは全く同じ説明が適用されるものとする。
【０１７２】
(S1009)  Target  HeNB102は、Handover完了と上位NodeへのGTPトンネルの切り替えとを要求するために、S1AP:  Path  Switch  RequestメッセージをHeNBGW  C-Plane3011に送信する。
【０１７３】
(S2003)  S-GW402は、S2002でModify  Bearer  ResponseメッセージをMME401に返送した後、GTPトンネル切り替えのために、End  MarkerをDownlink  User  Plane  dataに挿入してHeNBGW  U-Plane3011に送信する。HeNBGW  U-Plane3011は、S-GW402からEnd  Markerを受信したタイミングでTarget  HeNB102のGTPトンネルへの切り替えのタイミングを知る。
【０１７４】
(S1010)  S2003にてEnd  Markerを受信したHeNBGW  U-Plane3011は、このEnd  Markerを受信したタイミングで、Source  HeNB101に向けて、End  Markerを挿入したDownlink  User  Plane  dataを送信する。以降、HeNBGW  U-Plane3011はSource  HeNB101に対してDownlink  User  Plane  Dataを送信しない。
【０１７５】
(S1012)  HeNBGW  U-Plane3011は、S1010にてEnd  MarkerをS-GW402から受信し、S1010にてEnd  Markerを挿入した直後に、S-GW402から受信するDownlink  User  Plane  Dataの転送先をTarget  HeNB102へ切り替える。
【０１７６】
（６−３）第６の実施形態の効果
（６−３−１）本実施形態においては、HeNBGW301は、S1010において、S2003におけるEnd  Markerの受信タイミングにて、S-GW402から受信するDownlink  User  Plane  Dataの転送先をTarget  HeNB102のGTPトンネルに切り替えるタイミングを知るため、End  Markerが挿入されたDownlink  User  Plane  Data及びその前後のDownlink  User  Plane  Dataの転送がHeNBGW  U-Plane3011によって実現され、その結果、S1011におけるDownlink  User  Plane  dataの転送順序を保証することができるという効果が得られる。
【０１７７】
（７）その他の実施形態
以上、実施形態を参照して本発明を説明したが、本発明は上記実施形態に限定されるものではない。本発明の構成や詳細には、本発明の範囲内で当業者が理解し得る様々な変更をすることができる。
【０１７８】
例えば、第１〜第６の実施形態においては、HeNBGW301における動作について言及していたが、非特許文献１（TS36.300  v10.5.0）のSection  4.7で記載される、HeNBGWがDeNBとして動作し、HeNBがRelay  eNBとして動作する場合の、Intra  DeNB  Inter  Relay  eNB  Handoverにおいても同じ処理及び効果が適用される。
【０１７９】
なお、上記の実施形態の一部または全部は、以下の付記のようにも記載されうるが、以下には限られない。
（付記１）
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える、基地局ゲートウェイ装置。
（付記２）
前記移動局が前記基地局ゲートウェイ装置に初めて接続した時に前記移動管理装置から取得したセキュリティキー及びＮＣＣを記憶する記憶部をさらに有し、
前記Ｃプレーン処理部は、
前記ターゲット基地局に送信するＳ１ＡＰのシグナリングに、前記記憶部に記憶された前記セキュリティキー及び前記ＮＣＣを設定する、付記１に記載の基地局ゲートウェイ装置。
（付記３）
前記ハンドオーバは、
Ｓ１インタフェースを用いたハンドオーバであり、
前記Ｕプレーン処理部は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入する、付記１または２に記載の基地局ゲートウェイ装置。
（付記４）
前記ハンドオーバは、
Ｘ２インタフェースを用いたハンドオーバであり、
前記Ｕプレーン処理部は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入する、付記１または２に記載の基地局ゲートウェイ装置。
（付記５）
移動管理装置、サービングゲートウェイ装置、及び配下の基地局に接続されると共に、該配下の基地局を制御する基地局ゲートウェイ装置であって、
Ｃプレーン処理部と、
Ｕプレーン処理部と、を有し、
前記Ｃプレーン処理部は、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
前記Ｕプレーン処理部は、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える、基地局ゲートウェイ装置。
（付記６）
前記ハンドオーバは、
Ｓ１インタフェースを用いたハンドオーバであり、
前記Ｕプレーン処理部は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、付記５に記載の基地局ゲートウェイ装置。
（付記７）
前記ハンドオーバは、
Ｘ２インタフェースを用いたハンドオーバであり、
前記Ｕプレーン処理部は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、付記５に記載の基地局ゲートウェイ装置。
（付記８）
前記ハンドオーバは、
Ｓ１インタフェースまたはＸ２インタフェースを用いたハンドオーバであり、
前記Ｕプレーン処理部は、
前記サービングゲートウェイ装置から、前記エンドマーカーが挿入されたＵプレーンデータを受信したタイミングで、前記Ｕプレーンデータに前記エンドマーカーを挿入する、付記５に記載の基地局ゲートウェイ装置。
（付記９）
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端し、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える、無線通信システム。
（付記１０）
前記基地局ゲートウェイ装置は、
前記移動局が前記基地局ゲートウェイ装置に初めて接続した時に前記移動管理装置から取得したセキュリティキー及びＮＣＣを記憶し、
前記ターゲット基地局に送信するＳ１ＡＰのシグナリングに、前記記憶された前記セキュリティキー及び前記ＮＣＣを設定する、付記９に記載の無線通信システム。
（付記１１）
前記ハンドオーバは、
Ｓ１インタフェースを用いたハンドオーバであり、
前記基地局ゲートウェイ装置は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入する、付記９または１０に記載の無線通信システム。
（付記１２）
前記ハンドオーバは、
Ｘ２インタフェースを用いたハンドオーバであり、
前記基地局ゲートウェイ装置は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入する、付記９または１０に記載の無線通信システム。
（付記１３）
移動管理装置と、サービングゲートウェイ装置と、基地局と、移動局と、前記移動管理装置、前記サービングゲートウェイ装置、及び配下の基地局に接続されると共に、該配下の基地局を制御する基地局ゲートウェイ装置と、を有してなる無線通信システムであって、
前記基地局ゲートウェイ装置は、
前記移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーし、
所定のタイミングで、前記サービングゲートウェイ装置から受信し前記ソース基地局に転送するＵプレーンデータに、該Ｕプレーンデータが最後であることを示すエンドマーカーを挿入し、
前記エンドマーカーを挿入した直後のタイミングで、前記サービングゲートウェイ装置から受信したＵプレーンデータの転送先を、前記ソース基地局から前記ターゲット基地局に切り替える、無線通信システム。
（付記１４）
前記ハンドオーバは、
Ｓ１インタフェースを用いたハンドオーバであり、
前記基地局ゲートウェイ装置は、
前記ターゲット基地局からＳ１ＡＰ：Ｈａｎｄｏｖｅｒ  Ｎｏｔｉｆｙメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、付記１３に記載の無線通信システム。
（付記１５）
前記ハンドオーバは、
Ｘ２インタフェースを用いたハンドオーバであり、
前記基地局ゲートウェイ装置は、
前記ターゲット基地局からＳ１ＡＰ：Ｐａｔｈ  Ｓｗｉｔｃｈ  Ｒｅｑｕｅｓｔメッセージを受信したタイミングで、前記Ｕプレーンデータに前記エンドマーカーを挿入し、
前記サービングゲートウェイ装置から、前記エンドマーカーが挿入されたＵプレーンデータを受信した場合、該エンドマーカーを破棄する、付記１３に記載の無線通信システム。
（付記１６）
前記ハンドオーバは、
Ｓ１インタフェースまたはＸ２インタフェースを用いたハンドオーバであり、
前記基地局ゲートウェイ装置は、
前記サービングゲートウェイ装置から、前記エンドマーカーが挿入されたＵプレーンデータを受信したタイミングで、前記Ｕプレーンデータに前記エンドマーカーを挿入する、付記１３に記載の無線通信システム。
（付記１７）
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、前記移動管理装置にリレーせずに終端するステップと、
所定のタイミングで、前記サービングゲートウェイ装置から受信し前記ソース基地局に転送するＵプレーンデータに、該Ｕプレーンデータが最後であることを示すエンドマーカーを挿入するステップと、
前記エンドマーカーを挿入した直後のタイミングで、前記サービングゲートウェイ装置から受信したＵプレーンデータの転送先を、前記ソース基地局から前記ターゲット基地局に切り替えるステップと、を有する通信方法。
（付記１８）
前記移動局が前記基地局ゲートウェイ装置に初めて接続した時に前記移動管理装置から取得したセキュリティキー及びＮＣＣを記憶するステップと、
前記ターゲット基地局に送信するＳ１ＡＰのシグナリングに、前記記憶された前記セキュリティキー及び前記ＮＣＣを設定するステップと、をさらに有する、付記１７に記載の通信方法。
（付記１９）
前記ハンドオーバは、
Ｓ１インタフェースを用いたハンドオーバであり、
前記所定のタイミングは、
前記ターゲット基地局からＳ１ＡＰ：Ｈａｎｄｏｖｅｒ  Ｎｏｔｉｆｙメッセージを受信したタイミングである、付記１７または１８に記載の通信方法。
（付記２０）
前記ハンドオーバは、
Ｘ２インタフェースを用いたハンドオーバであり、
前記所定のタイミングは、
前記ターゲット基地局からＳ１ＡＰ：Ｐａｔｈ  Ｓｗｉｔｃｈ  Ｒｅｑｕｅｓｔメッセージを受信したタイミングである、付記１７または１８に記載の通信方法。
（付記２１）
移動管理装置、サービングゲートウェイ装置、及び配下の基地局に接続されると共に、該配下の基地局を制御する基地局ゲートウェイ装置による通信方法であって、
移動局が、配下のソース基地局から配下のターゲット基地局にハンドオーバする場合、前記ソース基地局及び前記ターゲット基地局から受信したＳ１ＡＰのシグナリングを、終端せずに前記移動管理装置にリレーするステップと、
所定のタイミングで、前記サービングゲートウェイ装置から受信し前記ソース基地局に転送するＵプレーンデータに、該Ｕプレーンデータが最後であることを示すエンドマーカーを挿入するステップと、
前記エンドマーカーを挿入した直後のタイミングで、前記サービングゲートウェイ装置から受信したＵプレーンデータの転送先を、前記ソース基地局から前記ターゲット基地局に切り替えるステップと、を有する通信方法。
（付記２２）
前記ハンドオーバは、
Ｓ１インタフェースを用いたハンドオーバであり、
前記所定のタイミングは、
前記ターゲット基地局からＳ１ＡＰ：Ｈａｎｄｏｖｅｒ  Ｎｏｔｉｆｙメッセージを受信したタイミングであり、
前記サービングゲートウェイ装置から、前記エンドマーカーが挿入されたＵプレーンデータを受信した場合、該エンドマーカーを破棄するステップをさらに有する、付記２１に記載の通信方法。
（付記２３）
前記ハンドオーバは、
Ｘ２インタフェースを用いたハンドオーバであり、
前記所定のタイミングは、
前記ターゲット基地局からＳ１ＡＰ：Ｐａｔｈ  Ｓｗｉｔｃｈ  Ｒｅｑｕｅｓｔメッセージを受信したタイミングであり、
前記サービングゲートウェイ装置から、前記エンドマーカーが挿入されたＵプレーンデータを受信した場合、該エンドマーカーを破棄するステップをさらに有する、付記２１に記載の通信方法。
（付記２４）
前記ハンドオーバは、
Ｓ１インタフェースまたはＸ２インタフェースを用いたハンドオーバであり、
前記所定のタイミングは、
前記サービングゲートウェイ装置から、前記エンドマーカーが挿入されたＵプレーンデータを受信したタイミングである、付記２１に記載の通信方法。
【０１８０】
本出願は、２０１２年４月９日に出願された日本出願特願２０１２−８８２７１を基礎とする優先権を主張し、その開示の全てをここに取り込む。
【図１】
0005858148.tif 000002
【図２】
0005858148.tif 000003
【図３】
0005858148.tif 000004
【図４】
0005858148.tif 000005
【図５】
0005858148.tif 000006
【図６】
0005858148.tif 000007
【図７】
0005858148.tif 000008
【図８】
0005858148.tif 000009
【図９】
0005858148.tif 000010
【図１０】
0005858148.tif 000011
【図１１】
0005858148.tif 000012